(57)【要約】【課題】立体形状物の湾曲部領域及び／又は屈曲部領域には、湾曲部領域を形成する面や、屈曲部領域を形成する面と面との間に連続模様を有し、連続模様には、白化現象等の無い、立体形状塗装物を提供できる、立体形状物の塗装方法を提供する。【解決手段】所定の模様のスリットパターン２ａを有するマスク２を、表面の所定の塗装を施す立体形状物１の上に位置する工程と、マスク２を立体形状物１の模様を形成する領域の外形形状と同一又はこれよりやや大きく、且つ、その模様を形成する領域の外形形状と概ね似た立体形状マスク２Ｓに加工する工程と、立体形状マスク２Ｓ越しに塗料をスプレーし、立体形状マスク２Ｓに設けられている所定の模様のスリットパターン２ａにより、立体形状物１の表面に、所定の模様を形成する工程とを備える。【選択図】図２
2004330144.tif 000002
【特許請求の範囲】
【請求項１】
所定の模様のスリットパターンを有するマスクを、表面の所定の塗装を施す立体形状物の上に位置する工程と、
前記マスクを前記立体形状物の模様を形成する領域の外形形状と同一又はこれよりやや大きく、且つ、その模様を形成する領域の外形形状と概ね似た立体形状マスクに加工する工程と、
前記立体形状マスク越しに塗料をスプレーし、前記立体形状マスクに設けられている所定の模様のスリットパターンにより、前記立体形状物の表面に、所定の模様を形成する工程とを備える、立体形状物の塗装方法。
【請求項２】
前記マスクは、熱可塑性樹脂で製されており、前記マスクを、立体形状物の模様を形成する領域の外形形状と同一又はこれよりやや大きく、且つ、その模様を形成する領域の外形形状と概ね似た立体形状マスクへの加工を熱により行なうことを特徴とする、請求項１に記載の立体形状物の塗装方法。
【請求項３】
前記マスクは、金属製の薄板であり、前記マスクを、立体形状物の模様を形成する領域の外形形状の外形形状と同一又はこれよりやや大きく、且つ、その模様を形成する領域の外形形状と概ね似た立体形状マスクへの加工を曲げ加工により行なうことを特徴とする、請求項１に記載の立体形状物の塗装方法。
【請求項４】
前記立体形状物の表面に形成する所望の模様中、境界を明瞭にする模様部分は、前記立体形状マスク中、前記立体形状物の表面に接触又は近接する部分で形成し、前記立体形状物の表面に形成する所望の模様中、境界をぼかす模様部分は、前記立体形状マスク中、前記立体形状物の表面から遠方の部分で形成するようにした、請求項１〜３のいずれかに記載の立体形状物の塗装方法。
【請求項５】
表面の所定の塗装を施す立体形状物の模様を形成する領域の外形形状と同一又はこれよりやや大きく、且つ、その模様を形成する領域の外形形状と概ね似た形状にされ、所定の模様のスリットパターンを有する、立体形状マスク。
【請求項６】
立体形状物の表面に塗装により所定の模様が形成されており、且つ、前記立体形状物の湾曲部領域又は屈曲部領域には、前記湾曲部領域を形成する面又は屈曲部領域を形成する面と面との間に連続模様を有し、且つ、前記連続模様には、白化現象や、密着不良部分や、剥離現象や、ひび割れ現象が無い、立体形状塗装物。
【発明の詳細な説明】
【０００１】
【発明の属する技術分野】
本発明は、立体形状物の塗装方法、立体形状マスク及び立体形状塗装物に関し、特に、立体形状物の湾曲部領域及び／又は屈曲部領域には、湾曲部領域を形成する面又は屈曲部領域を形成する面と面との間に連続模様を有し、連続模様には、白化現象や、密着不良部分や、剥離現象や、ひび割れ現象が無い、立体形状塗装物を提供できる、立体形状物の塗装方法、そのような立体形状物の塗装方法に用いる立体形状マスク、並びに、そのような立体形状物の塗装方法及び／又はそのような立体形状マスクを用いて製造される立体形状塗装物に関する。
【０００２】
【従来の技術】
近時、エアコンディショナー、湯沸しポット、炊飯器、テレビジョン、冷蔵庫、電子レンジ等の家庭用電化製品その他の製品のケース体の表面に、木目調模様、水玉模様、モザイク模様、動物模様、各種のロゴや文字等の図形などの所定の模様を印刷した製品が、人気商品となっている。
【０００３】
このような所定の模様が印刷された製品のケース体の中には、予め、木目調模様、水玉模様、モザイク模様、動物模様、各種のロゴや文字等の図形などの所定の模様が印刷された平板鋼板を曲げ加工して形成したものがある。
【０００４】
このような所定の模様が印刷された平板鋼板を曲げ加工して形成したケース体は、一般には、表面化粧パネル部分だけに、所定の模様が印刷されており、側面部分には、模様が無いか、湾曲部領域や屈曲部領域にまたがるように連続した模様が形成されていない。
【０００５】
また、先に、所定の形状に成型加工されたものの表面に、模様を付す場合には、予め、所定の模様を印刷した樹脂製のフィルムやシートや外板等を、貼り付けたり、はめ込んだりするようなことが、行なわれている。
【０００６】
また、先に模様を形成した特殊塗料を水面に浮かし、特殊塗料を水面に浮かした溶液中に、成型品を漬け込んで、成型品の表面に模様を形成したり、成型品の表面に特殊塗料を塗布した後に、成型品の表面に形成された塗膜を削り取って、木目調模様を形成するようなことも行なわれている。
また、塗装用のマスクとしては、一般に、平板形状のものが使用されている。
【０００７】
【特許文献１】特開２０００−２６８７２１号  図１を参照。
【０００８】
【発明が解決しようとする課題】
ところで、所定の模様が印刷された平板鋼板を曲げ加工して形成したケース体に、所定の模様を表面化粧パネル部分から側面部分に、湾曲部領域や屈曲部領域にまたがるように連続した模様を形成しようとした場合には、湾曲部領域や屈曲部領域を形成する面と面との間の連続模様が湾曲部領域や屈曲部領域において、白化現象や、密着不良部分や、剥離現象や、ひび割れ現象が生じる、という問題がある。
【０００９】
また、このような湾曲部領域や屈曲部領域を形成する面と面との間の連続模様が湾曲部領域や屈曲部領域において生じる、白化現象や、密着不良部分や、剥離現象や、ひび割れ現象を回避するためには、所定の模様が印刷された平板鋼板を曲げ加工やプレス加工した後、表面化粧パネル部分から側面部分にかけて形成する模様部分を表面化粧パネル部分に連続するように描画することが考えられるが、そのような作業は手間がかかるという問題や、そのような描画をしても、表面化粧パネル部分に設けられている模様のインクや塗料の成分と後から描画した部分のインクや塗料の成分との相違や、印刷と描画という手法の違いや、作業者の熟練度などにより、表面化粧パネル部分に設けられている模様と側面部に設けた模様とが連続模様にならず、切れたように見えたり、位置がずれたりする、という問題がある。
【００１０】
また、木目模様のような模様の場合には、ある程度、模様部分が肉厚になっている方が、本物の木目板のように風合いや、そのような触感が得られるので好ましく、木目模様を形成する場合には、印刷よりも塗装の方が好ましい。
【００１１】
本発明は、以上のような問題を解決するためになされたものであり、立体形状物の湾曲部領域や屈曲部領域に、湾曲部領域を形成している面や、屈曲部領域を形成する面と面との間に連続模様を有し、連続模様には、白化現象や、密着不良部分や、剥離現象や、ひび割れ現象が無い、立体構造塗装物を提供できる、立体形状物の塗装方法、そのような立体形状物の塗装方法に用いる立体形状マスク、並びに、そのような立体形状物の塗装方法及び／又はそのような立体形状マスクを用いて製造される立体形状塗装物にすることを目的とした装置を提供することを目的としている。
【００１２】
【課題を解決するための手段】
請求項１に記載の立体形状物の塗装方法は、所定の模様のスリットパターンを有するマスクを、表面の所定の塗装を施す立体形状物の上に位置する工程と、マスクを立体形状物の模様を形成する領域の外形形状と同一又はこれよりやや大きく、且つ、その外形形状と概ね似た立体形状マスクに加工する工程と、立体形状マスク越しに塗料をスプレーし、立体形状マスクに設けられている所定の模様のスリットパターンにより、立体形状物の表面に、所定の模様を形成する工程とを備える。
【００１３】
ここで、本明細書で用いる用語、「その外形形状と概ね似た立体形状マスク」は、立体形状物の模様を形成する領域の表面に完全の密着するような立体形状物の模様を形成する領域の表面形状と相似形又は概ね相似形の３次元のマスクや、立体形状物の模様を形成する領域の表面形状よりやや大きい相似形又は概ね相似形の３次元のマスクや、立体形状物の模様を形成する領域の表面形状と基本的形状が相似形又は概ね相似形であって、細部の形状が、基本的形状からずれた形状を有している３次元のマスクを意味する。
【００１４】
この立体形状物の塗装方法では、立体形状物の模様を形成する領域の外形形状と同一又はこれよりやや大きく、且つ、その模様を形成する領域の外形形状と概ね似た立体形状マスクを用い、立体形状マスク越しに、塗料をスプレーして、立体形状物の模様を形成する表面に模様を形成するようにしているので、立体形状物の、湾曲部領域や屈曲部領域や、側面部分にも表面から連続する模様を形成することができる。
【００１５】
且つ、この立体形状物の塗装方法では、先に、立体形状物を形成してから、その表面に、立体形状マスク越しに、塗料をスプレーして、立体形状物の表面に模様を形成するようにしているので、所定の模様が印刷された平板鋼板を曲げ加工して形成したケース体であって、その表面から側面にかけて連続模様を形成するようにしたものに見られるような、湾曲部領域や屈曲部領域における白化現象や、密着不良部分や、剥離現象や、ひび割れ現象が生じない。
【００１６】
請求項２に記載の立体形状物の塗装方法は、請求項１に記載の塗装方法の、マスクは、熱可塑性樹脂で製されており、マスクを、立体形状物の模様を形成する領域の外形形状と同一又はこれよりやや大きく、且つ、その模様を形成する領域の外形形状と概ね似た立体形状マスクへの加工を熱により行なうことを特徴とする。
【００１７】
この立体形状物の塗装方法では、マスクの材料として、熱可塑性樹脂を用いているので、熱により、簡単に、マスクを、立体形状物の模様を形成する領域の外形形状と同一又はこれよりやや大きく、且つ、その外形形状と概ね似た立体形状マスクへ加工することができる。
【００１８】
請求項３に記載の立体形状物の塗装方法は、請求項１に記載の立体形状物の塗装方法の、マスクは、金属製の薄板であり、マスクを、立体形状物の模様を形成する領域の外形形状の外形形状と同一又はこれよりやや大きく、且つ、その模様を形成する領域の外形形状と概ね似た立体形状マスクへの加工を曲げ加工により行なうことを特徴とする。
【００１９】
ここで、本明細書で用いる用語、「曲げ加工」には、手指による曲げ加工、機械による曲げ加工、プレス加工など、湾曲部領域や屈曲部領域を形成するための加工方法であれば、あらゆる加工方法が含まれる。
【００２０】
この立体形状物の塗装方法では、マスクの材料として、金属製の薄板を用いているので、曲げ加工より、簡単に、マスクを、立体形状物の模様を形成する領域の外形形状と同一又はこれよりやや大きく、且つ、その模様を形成する領域の外形形状と概ね似た立体形状マスクへ加工することができる。
【００２１】
請求項４に記載の立体形状物の塗装方法は、請求項１〜３のいずれかに記載の立体形状物の塗装方法において、立体形状物の表面に形成する所望の模様中、立体形状物の下地表面との境界を明瞭にする模様部分は、立体形状マスク中、立体形状物の表面に接触又は近接する部分で形成し、立体形状物の表面に形成する所望の模様中、立体形状物の下地表面との境界をぼかす模様部分は、立体形状マスク中、立体形状物の表面から遠方部分で形成するようにした。
【００２２】
この立体形状物の塗装方法を用いれば、立体形状物の表面、表面から側面にかかる領域及び／又は側面に、立体形状物の下地表面との境界が明確な模様や、立体形状物の下地表面との境界がぼかしになっている模様を容易に形成することができる。
【００２３】
請求項５に記載の立体形状マスクは、表面の所定の塗装を施す立体形状物の模様を形成する領域の形状と同一又はこれよりやや大きく、且つ、その模様を形成する領域の外形形状と概ね似た形状にされ、所定の模様のスリットパターンを有する。
【００２４】
この立体形状マスクを用いれば、立体形状物に立体形状マスクをかぶせた状態にした後、立体形状マスク越しに塗料をスプレーすることで、立体形状物の表面から側面にかけて連続模様を有する模様を容易に形成することができる。
【００２５】
請求項６に記載の立体形状塗装物は、立体形状物の表面に塗装により所定の模様が形成されており、且つ、立体形状物の湾曲部領域又は屈曲部領域には、湾曲部領域を形成する面や、屈曲部領域を形成する面と面との間に連続模様を有し、且つ、連続模様には、白化現象や、密着不良部分や、剥離現象や、ひび割れ現象が無い。
【００２６】
この立体形状塗装物は、表面から側面にかけて連続した模様を有しており、立体形状物の湾曲部領域や屈曲部領域に、白化現象や、密着不良部分や、剥離現象や、ひび割れ現象が無いので、例えば、ケース体（立体形状のケース体）の表面側の化粧パネル以外の側面部分にも、表面から連続した模様を有するケース体を有する、美観に優れた、エアコンディショナー、湯沸しポット、炊飯器、テレビジョン、冷蔵庫、電子レンジ等の家庭用電化製品その他の製品を市場に供給することができる。
【００２７】
【発明の実施の形態】
以下、本発明に係る立体形状物の塗装方法の一例を図面を参照しながら更に詳しく説明する。
【００２８】
図１及び図２は、本発明に係る立体形状物の塗装方法の一例の工程を概略的に示す説明図である。
【００２９】
この立体形状物の塗装方法では、まず、図１に示すように、表面に模様を形成する立体形状物１を準備する。
【００３０】
次に、立体形状物１の上に、所定の模様のスリットパターン２ａを有するマスク２を位置する。尚、この例では、立体形状物１の上に、木目調の模様を形成する例を示しているが、マスク２に設けられているスリットパターン２ａは、図１に示すものに限られず、水玉模様、モザイク模様、動物模様その他のパターンであっても良いことは、言うまでもない。
【００３１】
この例では、マスク２として熱可塑性樹脂を用いている。
【００３２】
熱可塑性樹脂としては、例えば、ポリエチレン、ポリプロピレン、ポリアミド、エチレン−ビニルアルコール共重合ポリマー（ＥＶＯＨ）等を用いる。
【００３３】
次に、マスク２を加熱手段（例えば、温風ドライヤー等）（図示せず。）を用い、図２に示すように、マスク２を立体形状物１の模様を形成する領域の外形形状と同一又はこれよりやや大きく、且つ、その外形形状と概ね似た立体形状マスク２Ｓに加工する。
【００３４】
この時、例えば、立体形状物１の表面に、模様として、模様部分と下地部分との境界を明確にする部分と、模様部分と下地部分との境界をぼかす部分とを形成するような場合には、立体形状物１の表面に形成する所望の模様中、境界を明瞭にする模様部分は、立体形状マスク２Ｓ中、立体形状物１の表面に接触又は近接する部分を形成する。
【００３５】
一方、立体形状物１の表面に形成する所望の模様中、境界をぼかす模様部分は、立体形状マスク２Ｓ中、立体形状物１の表面から遠方になるように形成する。
【００３６】
立体形状マスク２Ｓ中、立体形状物１の表面から遠方になる部分は、例えば、マスク２と立体形状物１との間にスペーサ（図示せず。）を挿入して形成したり、把持具や手指等を用い、マスク２を熱により軟化した後、立体形状物１の外側方向に引っ張る等して形成すればよい。
【００３７】
次に、立体形状マスク２Ｓ越しに塗料を塗装（スプレー）し、立体形状物１の表面に、立体形状マスク２Ｓに設けられている所定の模様のスリットパターン２ａにより、所定の模様を形成する。
【００３８】
図３は、以上において説明した立体形状物の塗装方法に従って製造される、立体形状塗装物を例示的に示す図であり、図３（ａ）は、図３（ｂ）に示す図の解説であり、図３（ｂ）は、本発明に係る立体形状物の塗装方法に従って製造される、立体形状塗装物を例示的に示す写真である。
【００３９】
この立体形状物の塗装方法では、立体形状物１の模様を形成する領域の外形形状と同一又はこれよりやや大きく、且つ、その模様を形成する領域の外形形状と概ね似た立体形状マスク２Ｓを用い、立体形状マスク２Ｓ越しに、塗料を塗装（スプレー）して、立体形状物１の表面に模様を形成するようにしているので、立体形状物１の湾曲部領域又は屈曲部領域部Ｒｂや、側面部分Ｒｓにも表面Ｓから連続する模様を形成することができる。
【００４０】
且つ、この立体形状物の塗装方法では、先に、立体形状物１を形成してから、その表面に、立体形状マスク２Ｓ越しに、塗料を塗装（スプレー）して、立体形状物１の表面に模様を形成するようにしているので、所定の模様が印刷された平板鋼板を曲げ加工して形成したケース体であって、その表面から側面にかけて連続模様を形成するようにしたものに見られるような、湾曲部領域や屈曲部領域における、白化現象や、密着不良部分や、剥離現象やひび割れ現象が生じない。
【００４１】
即ち、この立体形状物の塗装方法を用いれば、立体形状物１の表面に塗装により所定の模様が形成されており、且つ、立体形状物１の湾曲部領域又は屈曲部領域には、湾曲部領域を形成する面や、屈曲部領域を形成する面と面との間に連続模様を有し、且つ、連続模様には、白化現象や、密着不良部分や、剥離現象や、ひび割れ現象が無い、立体形状塗装物を形成することができる。
【００４２】
また、この立体形状物の塗装方法を用いれば、立体形状物１の表面から側面に至る模様を、立体形状物１の表面に立体形状マスク２Ｓ越しに塗料をスプレーすることで形成できるので、手間がかからないということは勿論のこと、所定の模様が印刷された平板鋼板を曲げ加工した後、表面化粧パネル部分から側面部分にかけて形成する模様部分を表面化粧パネル部分に連続するように描画するような方法の場合に見られるような、表面化粧パネル部分に設けられている模様のインクや塗料の成分と後から描画した部分のインクや塗料の成分との相違や、印刷と描画という手法の違いや、作業者の熟練度などにより、表面化粧パネル部分に設けられている模様と側面部に設けた模様とが連続模様にならず、切れたように見えたり、位置がずれたりする、という問題が生じない。
【００４３】
また、立体形状マスク２Ｓに、立体形状物の表面に接触する部分又は近接する部分を設ければ、この部分越しに、塗料を塗装（スプレー）することで、立体形状物１の表面に、模様部分（塗料が塗布された部分）と立体形状物１の下地部分との境界のはっきりした模様を形成できる。
【００４４】
また、立体形状マスク２Ｓに、立体形状物１の表面に表面から遠方に位置する部分を設ければ、この部分越しに、塗料をスプレーすることで、立体形状物１の表面に、模様部分（塗料が塗布された部分）と立体形状物１の下地部分との境界がぼかしになっている模様を形成できる。
【００４５】
更にまた、この発明の実施の形態において例示したように、立体形状物１の表面に木目模様を形成する場合には、本発明では塗装方法を用いているので、印刷の場合に比べ、塗料が塗装された部分を肉厚にすることができる。これにより、本物の木材と同様の美観と、手で触った際の凹凸感に由来する本物の木材と同様の質感を得ることができる。
【００４６】
また、この立体形状物の塗装方法を用いれば、表面から側面にかけて連続した模様を有しており、立体形状物の湾曲部領域や屈曲部領域に、白化現象や、密着不良部分や、剥離現象や、ひび割れ現象が無い立体形状塗装物を製造できるので、例えば、ケース体（立体形状のケース体）の表面側の化粧パネル以外の側面部分にも、表面から連続した模様を有するケース体を有する、美観に優れた、エアコンディショナー、湯沸しポット、炊飯器、テレビジョン、冷蔵庫、電子レンジ等の家庭用電化製品その他の製品を市場に供給することができる。
【００４７】
更に、立体形状マスク２Ｓを、立体形状マスク２Ｓ越しに、成型品１の模様を形成する表面に塗料を塗布（スプレー）する際に、立体形状マスク２Ｓを静止したり、動かしたりしたり、スリットパターン２ａの異なる立体形状マスクを複数個用意し、これら複数の立体形状マスク越しに、成型品１の模様を形成する表面に、塗料を塗布（スプレー）するという工程を複数回行なって重ね塗りをしたり、色調の異なる塗料を、立体形状マスク越しに、塗布（スプレー）するといったような重ね塗りや、これらを組み合わせた塗装を行なうことで、より複雑、且つ、例えば、本物の木材のような模様を成型品１の表面から側面に繋る領域に容易に形成できる。
【００４８】
尚、上記の発明の実施の形態では、マスク２として、熱可塑性樹脂で製されたものを例にして説明したが、これは、単に、本発明を説明するために用いたものであり、本発明で用いるマスク２は、熱可塑性樹脂で製されたものに限定されることはなく、本発明で用いるマスク２は、金属製の薄板（箔）であってもよい。
【００４９】
このような薄板は、アルミニウム製や、銅製などであることが好ましい。
【００５０】
マスク２として、金属製の薄板（箔）を用いる場合には、マスクを、立体形状物の模様を形成する領域の外形形状の外形形状と同一又はこれよりやや大きく、且つ、その模様を形成する領域の外形形状と概ね似た立体形状マスクへの加工を曲げ加工により行なえばよい。
【００５１】
【発明の効果】
以上、詳細に説明したように、請求項１に記載の立体形状物の塗装方法では、立体形状物の外形形状よりやや大きく、且つ、その外形形状と概ね相似形の立体形状マスクを用い、立体形状マスク越しに、塗料をスプレーして、立体形状物の表面に模様を形成するようにしているので、立体形状物の湾曲部領域や屈曲部領域や、側面部分にも表面から連続する模様を形成することができる。
【００５２】
且つ、この立体形状物の塗装方法では、先に、立体形状物を形成してから、その表面に、立体形状マスク越しに、塗料をスプレーして、立体形状物の表面に模様を形成するようにしているので、所定の模様が印刷された平板鋼板を曲げ加工して形成したケース体であって、その表面から側面にかけて連続模様を形成するようにしたものに見られるような、部領域における白化現象や、密着不良部分や、剥離現象や、ひび割れ現象が生じない。
【００５３】
請求項２に記載の立体形状物の塗装方法では、マスクの材料として、熱可塑性樹脂を用いているので、熱により、簡単に、マスクを、立体形状物の模様を形成する領域の外形形状と同一又はこれよりやや大きく、且つ、その外形形状と概ね似た立体形状マスクへ加工することができる。
【００５４】
請求項３に記載の立体形状物の塗装方法では、マスクの材料として、金属製の薄板を用いているので、曲げ加工より、簡単に、マスクを、立体形状物の模様を形成する領域の外形形状と同一又はこれよりやや大きく、且つ、その模様を形成する領域の外形形状と概ね似た立体形状マスクへ加工することができる。
【００５５】
請求項４に記載の立体形状物の塗装方法を用いれば、立体形状物の表面、表面から側面にかかる領域及び／又は側面に、立体形状物の下地表面との境界が明確な模様や、立体形状物の下地表面との境界がぼかしになっている模様を容易に形成することができる。
【００５６】
請求項５に記載の立体形状マスクを用いれば、立体形状物に立体形状マスクをかぶせた状態にした後、立体形状マスク越しに塗料をスプレーすることで、立体形状物の表面から側面にかけて連続模様を有する模様を容易に形成することができる。
【００５７】
請求項６に記載の立体形状塗装物は、表面から側面にかけて連続した模様を有しており、立体形状物の湾曲部領域や屈曲部領域に、白化現象や、密着不良部分や、剥離現象や、ひび割れ現象が無いので、例えば、ケース体（立体形状のケース体）の表面側の化粧パネル以外の側面部分にも、表面から連続した模様を有するケース体を有する、美観に優れた、エアコンディショナー、湯沸しポット、炊飯器、テレビジョン、冷蔵庫、電子レンジ等の家庭用電化製品その他の製品を市場に供給することができる。
【図面の簡単な説明】
【図１】本発明に係る立体形状物の塗装方法の一例の工程を概略的に示す説明図である。
【図２】本発明に係る立体形状物の塗装方法の一例の工程を概略的に示す説明図である。
【図３】本発明に係る立体形状物の塗装方法に従って製造される、立体形状塗装物を例示的に示す図であり、図３（ａ）は、図３（ｂ）に示す図の解説であり、図３（ｂ）は、本発明に係る立体形状物の塗装方法に従って製造される、立体形状塗装物を例示的に示す写真である。
【符号の説明】
１  立体形状物
２  マスク
２ａ  スリットパターン
２Ｓ  立体マスク
Ｒｂ  屈曲部領域部
Ｒｓ  側面部分
Ｓ  表面
【図１】
2004330144.tif 000003
【図２】
2004330144.tif 000004
【図３】
2004330144.tif 000005